(57)【要約】      （修正有）【課題】運転停止後の販売開始までの時間の短縮化を図れると共に、スケール発生の軽減化を図れるようになる蒸し器を提供する。【解決手段】蒸し器１は、トレイ６７を備えた本体ケース１０と、この本体ケース１０に設けられた蒸気発生手段５５を備えて構成され、この蒸気発生手段５５を、底部の中央領域に設置され内部にヒータ６２が装備された加熱部６６と、この加熱部６６を内側に配した貯水槽６３とを含む構成とする。そして、貯水槽６３を、加熱部６６上に配設され上部に蒸気用開口部を備えた沸騰筒５８と、この沸騰筒５８を取巻いて設置され底部側が加熱部６６に連通する内側タンク５７と、この内側タンク５７を取巻いて設置された外側タンク５６とを備えて構成し、また、沸騰筒５８の形状をスカート状とした。【選択図】図１
2016198253.tif 000002
【特許請求の範囲】
【請求項１】
複数段の食品陳列棚を備えると共に少なくとも前面部が透明部材により構成された本体ケースと、この本体ケースの底部に蒸気発生手段が設けられて成る蒸し器において、
前記蒸気発生手段を、前記底部の中央領域に設置され内部にヒータが装備された加熱部と、この加熱部を内側に配して設置された貯水槽とを含む構成とし、
この貯水槽を、前記加熱部上に配設され上部に蒸気用開口部を備えた蒸気発生槽と、この蒸気発生槽を取巻いて設置された保温水槽とを備えて構成し、
前記蒸気用開口部の開口面積を、前記蒸気発生槽の前記加熱部の加熱面と対向する部分の貯水過熱面の面積よりも小さく設定すると共に、前記蒸気発生槽の一部を成し、前記蒸気用開口部と前記加熱部側の下部周囲とを結ぶ槽側面の形状を当該加熱部側が広がったスカート状としたことを特徴とする蒸し器。
【請求項２】
請求項１に記載した蒸し器において、
前記蒸気用開口部に、内部で形成された蒸気の送出を許容しつつその蒸気の送出方向を周囲に向けて拡散する拡散ガイド機能を備えた蒸気拡散ガイド部材を装備したことを特徴とする蒸し器。
【請求項３】
請求項２に記載した蒸し器において、
前記蒸気拡散ガイド部材の上方に、当該蒸気拡散ガイド部材により拡散された蒸気を上方に送出する多数の蒸気通過孔を有する蒸気分散板を配置したことを特徴とする蒸し器。
【請求項４】
請求項１ないし請求項３のいずれか一つに記載した蒸し器において、
前記保温水槽を取巻いた外側に、当該保温水槽に底面部側で連通した外側貯水槽を装備し、
この外側貯水槽に連通されかつ外部から補給される蒸気用の水を前記外側貯水槽に送り込む給水受け槽を設けたことを特徴とする蒸し器。
【請求項５】
請求項４に記載した蒸し器において、
前記給水受けに、前記蒸気発生槽内の水が一定レベル以下に下がった場合にこれを検知する水位センサを装備し、この水位センサからの水位低下情報を外部へ発信する水位低下表示手段を前記本体ケースに装備したことを特徴とする蒸し器。
【発明の詳細な説明】
【技術分野】
【０００１】
本発明は蒸し器に係り、さらに詳しくは、運転を停止した後、販売開始までの時間の短縮を図れるようにした蒸し器に関する。
【背景技術】
【０００２】
近年、例えば、コンビニエンスストア等の店頭に、調理済みのあんまんや肉まん等のいわゆる中華まんじゅうを加熱販売するために、加湿・保温機能を備えた蒸し器が設置されるようになってきている。
このような蒸し器は、当該蒸し器を構成する本体ケース内の食品陳列棚に載せたあんまんや肉まん等を、本体ケースの下方から蒸気発生手段により蒸気を発生させて蒸す構成となっている（特許文献１参照）。
【０００３】
図１０に示すように、例えば特許文献１に開示された蒸し器１００は、本体ケース１０１の底部中央に蒸気発生手段１０２を備えており、この蒸気発生手段１０２は、蒸気を発生させるための水を溜めるタンク１０３と、このタンク１０３に接触する電熱体１０４とを備えて構成されている。
そして、タンク１０３の上方には、蒸気分散板１０５が配置されており、この蒸気分散板１０５には、多数の蒸気通過孔１０５Ａがあけられている。また、本体ケース１０１内には、複数段の陳列棚１０６が配置されており、それらの陳列棚１０６上にあんまん等の中華まんじゅうが陳列されている。
さらに、上記タンク１０３には、当該タンク１０３に蒸気発生用の水を補給するために、図略の水受け槽が配管を介して連結されている。
【先行技術文献】
【特許文献】
【０００４】
【特許文献１】特開２００３−１９００１０号公報
【発明の概要】
【発明が解決しようとする課題】
【０００５】
ところで、蒸し器の内部には肉まん等の食品が陳列されているので、常に清潔さが要求されている。そのため、衛生面上、一日一度の清掃を義務付けている店舗が多い。
そして、所定の清掃が終了した時点で蒸し器は再稼働されることになるが、一刻でも早い販売再開が望まれる。
また、上記理由による蒸し器の運転停止の場合に限らず、蒸し器の故障による運転停止後の運転再開の場合でも、上記と同様、一刻でも早い販売再開が望まれる。
【０００６】
ところが、前記特許文献１に開示された蒸し器１００では、タンク１０３が、丸筒状、あるいは角筒状に形成されていたとしても、その内部に、常に、蒸気を発生させるために所定量の水を貯留しておかなければならないので、タンク１０３の容積が大きくなる。
そのため、タンク１０３を電熱体１０４で加熱しても、タンク１０３内の水を、蒸気が発生する温度まで上げるには長い時間が掛かり、その結果、蒸し器１００の運転開始までの起動が遅くなり、販売再開まで多くの時間が掛る、という問題が生じている。
【０００７】
本発明の目的は、上述した課題を解決するために提案されたものであり、運転停止後の販売開始までの時間の短縮化を図れるようになる蒸し器を提供することにある。
【課題を解決するための手段】
【０００８】
前記目的を達成するために、本発明の蒸し器は、複数段の食品陳列棚を備えると共に少なくとも前面部が透明部材により構成された本体ケースと、この本体ケースの底部に蒸気発生手段が設けられて成る蒸し器において、
前記蒸気発生手段を、前記底部の中央領域に設置され内部にヒータが装備された加熱部と、この加熱部を内側に配して設置された貯水槽とを含む構成とし、
この貯水槽を、前記加熱部上に配設され上部に蒸気用開口部を備えた蒸気発生槽と、この蒸気発生槽を取巻いて設置された保温水槽とを備えて構成し、
前記蒸気用開口部の開口面積を、前記蒸気発生槽の前記加熱部の加熱面と対向する部分の貯水過熱面の面積よりも小さく設定すると共に、前記蒸気発生槽の一部を成し、前記蒸気用開口部と前記加熱部側の下部周囲とを結ぶ槽側面の形状を当該加熱部側が広がったスカート状としたことを特徴とする。
【発明の効果】
【０００９】
本発明の蒸し器によれば、ヒータを装備した加熱部上に配設した蒸気発生槽の全体形状をスカート状に形成して、加熱部との当接面積を維持しつつ水収納容積が小さくなるように形成したので、取り込まれる加熱対応の水量が少なくなることから、これを容易に加熱沸騰させることができ、これにより、蒸気発生までの時間を短縮することができると共に、省エネ化を図ることができる。その結果、運転停止後の販売開始までの時間の短縮化を図ることができる。
【図面の簡単な説明】
【００１０】
【図１】本発明に係る蒸し器の一実施形態を示す縦断面図である。
【図２】図１に開示した蒸し器の全体斜視図である。
【図３】図１におけるIII矢視図である。
【図４】図１に開示した蒸し器を構成する蒸気発生手段の要部詳細を示す縦断面図である。
【図５】図１に開示した蒸し器を構成する蒸気発生槽を示す全体斜視図である。
【図６】図１に開示した蒸し器を構成する保温槽を示す全体斜視図である。
【図７】図１に開示した蒸し器を構成する蒸気拡散板を示す全体斜視図である。
【図８】図１に開示した蒸し器を構成する給水受け槽と水位検知計および貯水槽の一部を示す縦断面図である。
【図９】図１に開示した蒸し器の水位低下表示手段を示す構成図である。
【図１０】従来の蒸し器を示す全体縦断面図である。
【発明を実施するための形態】
【００１１】
以下に、図１〜８を参照して本発明に係る蒸し器の一実施形態を説明する。
本実施形態の蒸し器１は、例えば、コンビニエンスストアの売り場のレジ用カウンターの上等に配置されるようになっている。
そして、図１，２において左側が、客が食品Ｃを選択・注文し、かつ受け取るための前面側であり、右側が、店の係員が蒸し器１の内部に食品Ｃを陳列したり、陳列してある食品Ｃの中から所定の食品Ｃを取り出し、かつ受けわたす背面側である。
【００１２】
〔蒸し器全体の説明〕
蒸し器１は、図１〜３に示すように、上面から前面側にわたって形成された一対の枠本体１５，１６を幅方向両側に設けた本体ケース１０を備えている。
また、本体ケース１０の内部には、背面側が開放された平断面コ字状の内側ガラス３２と、この内側ガラス３２と所定の間隔をおいて配置された外側ガラス３３とが設けられている。
【００１３】
内側ガラス３２の上部で、最上段の食品陳列棚であるトレイ６８と本体ケース１０の天板１１との間には、水滴落下防止用の防滴ガラス３８が設けられている。この防滴ガラス３８は、内側ガラス３２の上端部を保持するガラス保持部材３６に付着した蒸気が水滴となってトレイ６８上、言い換えれば、食品Ｃ上に落下するのを防止するものである。
トレイ６８は、本体ケース１０に設けられたトレイガイド６９に支持され、かつ、内側ガラス３２の内部に収容されて複数段（本実施形態では６段）が配置されている。
【００１４】
本体ケース１０の下部には、内側ガラス３２で囲まれた内部空間の上部側に向けて下方から蒸気を送り出す蒸気発生手段５５が設けられている。
また、各枠本体１５，１６の前面側の互いに対向する内側には、多数個のＬＥＤを装備して構成された照明装置５０が設けられている。
さらに、本体ケース１０の背面側には、トレイ６８上に陳列された食品Ｃを取出したり、トレイ６８上に新たな食品Ｃを陳列したりできるように、開閉扉５３が取付けられている。この開閉扉５３の中央領域には、内側ガラスと外側ガラスとからなる二重構造のドアガラス７１（図３参照）が設けられている。
【００１５】
図１，３に示すように、内側ガラス３２の上部には前記防滴ガラス３８が着脱自在に設けられている。すなわち、この防滴ガラス３８は、本体ケース１０の内面に固定された防滴ガラス取付け部材３９にガイドされて着脱自在となっている。
防滴ガラス３８は、本体ケース１０の背面側から前面側に向かって、前面側が低くなるように所定角度の傾斜状に設けられている。そして、この角度は、水が流れる角度であればよい。
【００１６】
〔蒸気発生手段の説明〕
前記蒸気発生手段５５は、図１，４に示すように、本体ケース１０の底部に設置されると共に内部にヒータ６２が装備された加熱部６６と、この加熱部６６を、上記底部の中央領域に配置した貯水槽６３とを備えて構成されている。
【００１７】
貯水槽６３は、外部から補給された水を貯留する外側貯水槽である外側タンク５６を備えて構成され、この外側タンク５６の中央部には、当該外側タンク５６の底面から上方に突出しかつ上面が加熱面５６Ａとなった筒状の突出部５６Ｂが設けられている。
この突出部５６Ｂの内部には、沸騰筒５８内に導入された水を沸騰させて蒸気を発生させるヒータ６２が装備された前記加熱部６６が配設されている。
【００１８】
また、突出部５６Ｂの上方には、蒸気発生槽である沸騰筒５８が、上記突出部５６Ｂを取巻いて配設されている。この沸騰筒５８は、その全体形状が略スカート状に形成されており、その下部は外側タンク５６の内部と連通し、かつ上部には蒸気用開口部５８Ａが備えられている。
そして、上記沸騰筒５８は、金属に比べて熱伝導率が低くかつ耐熱性の樹脂製とされている。
【００１９】
蒸気用開口部５８Ａの開口面積は、沸騰筒５８の突出部５６Ｂの上面と対向する部分の貯水過熱面の面積よりも小さく設定されている。また、沸騰筒５８の一部を成し、蒸気用開口部５８Ａと突出部５６Ｂ側の下部周囲とを結ぶ槽側面の形状が、当該下部周囲側が広がったスカート状に形成されている。
すなわち、沸騰筒５８は、図４，５に詳細を示すように、蒸気用開口部５８Ａが形成された丸筒状部５８Ｂと、この丸筒状部５８Ｂの下端部から下部側にスカート状に広がると共に、先端に丸筒状のリング状部５８Ｄを有する傾斜面部５８Ｃと、リング状部５８Ｄの下端にその外周方向に突出したフランジ部５８Ｇと、を備えて形成されている。
以上に説明したように、沸騰筒５８の容積が小さく形成されているので、収容された水を急速に過熱し沸騰させる機能を有している。
【００２０】
沸騰筒５８の傾斜面部５８Ｃの下部とリング状部５８Ｄの内面上部との間には、均等３箇所の位置に、鏃状の位置決め突起５８Ｆが設けられている。これらの位置決め突起５８Ｆは、沸騰筒５８を前記突出部５６Ｂの加熱面５６Ａ上に載置させる際のガイドとなるものである。
そして、沸騰筒５８を加熱面５６Ａ上に載置したとき、沸騰筒５８のリング状部５８Ｄが突出部５６Ｂ、言い換えれば、加熱部６６の外周を取巻いた状態となっている。
【００２１】
ここで、沸騰筒５８のフランジ部５８Ｇの下端と前記外側タンク５６の底面との間には所定の隙間が設定されており、また、沸騰筒５８のリング状部５８Ｄの内周面と突出部５６Ｂの外周面との間には所定の隙間が設定されている。そして、これらの各隙間から、外側タンク５６内の水が沸騰筒５８内に導入されるようになっている。
【００２２】
また、外側タンク５６において、沸騰筒５８の高さ位置と略同一高さ位置には、沸騰筒５８を取巻いて、かつ当該沸騰筒５８に支持されて保温水槽である内側タンク５７（図１参照）が配設されている。そして、この内側タンク５７の下部の一部は外側タンク５６の内部と連通している。
【００２３】
この内側タンク５７は、図６に詳細を示すように、平リング状の底板５７Ａを有する円筒状に形成されており、底板５７Ａの幅方向中央部には、外側タンク５６からの水を導入可能とする複数の穴５７Ｃが形成されている。
この内側タンク５７は、図４に示すように、沸騰筒５８と略同じ高さ寸法に形成されており、沸騰筒５８のフランジ部５８Ｇの上面に載置されるようになっている。
従って、内側タンク５７が沸騰筒５８のフランジ部５８Ｇの上面に載置されたとき、内側タンク５７内には、上記複数の穴５７Ｃから外側タンク５６からの水が導入されることになる。
【００２４】
そして、外側タンク５６には、図１，８に示すように、ケース本体１０の下部に設置されている水受け槽６１から給水パイプ６５を介して常時、水が補給されるようになっている。
【００２５】
ここで、沸騰筒５８内の水の温度は例えば１００°Ｃ位であり、内側タンク５７内の水の温度は例えば９０°Ｃ位、外側タンク５６内の水の温度は例えば７０°Ｃ位、水受け槽６１内の水の温度は例えば５５°Ｃ位になっている。
すなわち、沸騰筒５８と外側タンク５６との間に内側タンク５７が配置されているので、沸騰筒５８内の高温の水の熱が内側タンク５７内の水に伝達され、さらに、内側タンク５７内の水の熱が外側タンク５６内の水に伝達される。
そのため、水受け槽６１内の水の温度が低くなっているので、スケールの発生量を軽減することができる。
【００２６】
前記蒸気拡散ガイド部材５９は、図７に詳細を示すように、円板状の上面部５９Ａと、この上面部５９Ａの裏面の３か所に、当該上面部５９Ａと一体的に形成された係合部５９Ｂとで構成されている。
係合部５９Ｂは、図４に示すように、前記沸騰筒５８の蒸気用開口部５８Ａを形成する丸筒状部５８Ｂの周縁に載せられる載置面５９Ｃと、丸筒状部５８Ｂの内周部に挿入される差込み部５９Ｄとで構成されている。
【００２７】
載置面５９Ｃは、上面部５９Ａの上端部から所定寸法離れた位置に形成されており、また、係合部５９Ｂは３箇所に設けられている。そのため、蒸気拡散ガイド部材５９を沸騰筒５８の丸筒状部５８Ｂに差込んで装備したとき、沸騰筒５８の丸筒状部５８Ｂと蒸気拡散ガイド部材５９の上面部５９Ａとの間には、蒸気が三方に抜ける、つまり周囲３６０°方向に抜ける空間が形成されることになる。
【００２８】
以上のような蒸気拡散ガイド部材５９の上方には、図１，４に示すように、蒸気拡散板ガイド部材５９で拡散された蒸気を内側ガラス３２内に分散させる蒸気分散板６０が配置されている。
この蒸気分散板６０には、多数の蒸気通過孔６０Ａ（図４参照）があけられており、また、蒸気分散板６０は、外側タンク５６の外周縁部に載置されている。
【００２９】
蒸気発生手段５５では、蒸し器１の運転稼働中は、ケース本体１０の下部に設置されている前記水受け槽６１に外部から定期的に（一定水位以下になったとき）水が補給されるようになっている。
そして、蒸気発生用の水は、水受け槽６１から、給水パイプ６５を介して常時貯水槽６３に供給されるようになっている。
【００３０】
以上のような構成の蒸気発生手段５５では、沸騰筒５８で発生した蒸気が、沸騰筒５８の蒸気用開口部５８Ａから蒸気拡散ガイド部材５９の下面に沿って、周囲３６０°の方向に向けて拡散され、拡散された蒸気は、蒸気分散板６０の多数の蒸気通過孔６０Ａから内側ガラス３２の上部側にバランスよく送られる。
【００３１】
その蒸気は、内側ガラス３２内に充満すると共に、一部が防滴ガラス３８の幅方向両側と内側ガラス３２の側面部との隙間から上昇し、内側ガラス保持部材３６の裏面に付着して水滴となる。そして、この水滴は、防滴ガラス３８の上面から、断面コ字状の内側ガラス３２の前面部３２Ａの内側面に伝わり、その内側ガラス３２の下端にまで流れ、貯水槽６３内に還流されるようになっている。
また、図１に示すように、貯水槽６３の清掃等を行う際、その貯水槽６３内の水を外部に排水する排水パイプ６７の一端部が、前記貯水槽６３の底部に接続されている。
【００３２】
〔水位低下表示手段の説明〕
前記水受け槽６１内には、常に、一定量の水が確保されていなければならないが、忙しい店員等、関係者が常時点検することは困難である。
そこで、本実施形態では、水受け槽６１内の水が設定された一定量以下になった場合に、そのことを外部表示する水位低下表示手段７０が設けられている。
水位低下表示手段７０は、図３，８に示すように、本体ケース１０の背面側で幅方向の一方側に設けられている。
【００３３】
この水位低下表示手段７０は、図９に示すように、前述した貯水槽６３の水位が予め設定した水位以下に下がった場合に、これを検知し水位低下情報ＳＷを出力する水位低下検知センサ７１と、この水位低下情報ＳＷが出力された場合に稼動し、外部へ所定の警報信号を出力する警報ブザー７２Ａ及び警報ランプ７２Ｂを備えた警報表示部７２と、この警報表示部７２の稼動に先立って作動し、当該警報表示部７２に対して前記水位低下情報ＳＷに基づいた所定の警報駆動信号を出力する警報部駆動回路７３とを備えて構成されている。
【００３４】
この内、水位低下検知センサ７１は、所定間隔を隔てて設置される短冊状の二本の金属製電極７１ａ，７１ｂからなる。
【００３５】
具体的には、この場合、二本の金属製電極７１ａ，７１ｂの先端縁の位置は、図９に示すように、水位が予め設定された下限水位Ｈ０より下回った場合（すなわち、当該金属製電極７１ａ，７１ｂの各先端縁の一方が下限水位Ｈ０の水面から離れた場合）に、通電回路をオフする状態となり、このオフ信号（水位低下情報ＳＷ）を上記した警報部駆動回路７３が検知し得るようになっている。
【００３６】
そして、ＮＡＮＤゲート７３Ｂが出力オンの状態(すなわち、水位低下検知センサ７１の出力信号がゼロ(オフ）となった場合)は、水位低下状態が発生したことを意味することから、これを受けたＮ型トランジスタ７３Ａは警報表示部７２の電源回路をオン(導通制御）し、これにより警報表示部７２が直ちに稼働し、警報ブザー７２Ａ及び警報ランプ７２Ｂを稼働させて外部にブザー音およびランプ光を発信し、関係者に水位低下を知らせるようになっている。
【００３７】
以上のような構成の本実施形態の蒸し器１によれば、次のような効果が得られる。
（１）ヒータ６２を装備した加熱部６６上に配設した沸騰筒５８の全体形状をスカート状に形成して、加熱部６６との当接面積を維持しつつ水収納容積が小さくなるように形成したので、取り込まれる加熱対応の水量が少なくなることから、これを容易に加熱沸騰させることができる。その結果、蒸気発生までの時間を短縮することができ、運転停止後の販売開始までの時間の短縮化を図ることができる。
【００３８】
（２）外側タンク５６内で沸騰筒５８を取巻くようにして内側タンク５７が配置されており、沸騰筒５８内の高温の水が内側タンク５７内の水により緩和された状態で外側タンク５６内の水に伝わり、外側タンク５６内の水の温度もわずかに上昇するが、その温度でも内側タンクが配置されていない従来のタンク内の水温より低くなるので、蒸気発生の際のスケールの発生量を軽減することができる。その結果、金属製電極７１ａ，７１ｂに付着するスケールを少なくすることができる。
【００３９】
（３）加熱部６６が沸騰筒５８のリング状部５８Ｄで囲まれた状態で設けられているので、ヒータ６２を含む加熱部６６からの熱のほとんどが突出部５６Ｂの加熱面５６Ａに伝わるので、沸騰筒５８内の水を効率よく加熱することができる。その結果、蒸気発生を迅速に行えるので省エネ化を図ることができる。
【００４０】
（４）沸騰筒５８の蒸気用開口部５８Ａの上方には蒸気拡散ガイド部材５９が配置され、さらに、この蒸気拡散ガイド部材５９の上方には蒸気分散板６０が配置されており、沸騰筒５８で発生した蒸気は、蒸気拡散ガイド部材５９により周囲３６０°方向に拡散された後、蒸気分散板６０にあけられた多数の蒸気通過孔６０Ａから内側ガラス３２で囲まれた空間に送出されるので、蒸気が均一に行きわたり、食品Ｃを均一に蒸すことができる。
【００４１】
（５）水受け槽６１には水位低下表示手段７０が設けられており、この水位低下表示手段７０では、水受け槽６１に予め決められた水の量、すなわち、一定の水位以下になったとき、それを検知して、警報ブザー７２Ａが鳴ると共に、警報ランプ７２Ｂが点滅するようになっているので、店員等の関係者は、その時点で水受け槽６１に水を補給すればよい。その結果、関係者は常時水受け槽６１の水の量を調べる必要がなく、その手間を省くことができる。
【００４２】
以上、前記実施形態を参照して本発明を説明したが、本発明は前記実施形態に限定されるものではない。本発明の構成や詳細については、当業者が理解し得るさまざまな変更を加えることができる。また、本発明には、前記各実施形態の構成の一部又は全部を相互に適宜組み合わせたものも含まれる。
【００４３】
例えば、前記実施形態では、沸騰筒５８を略スカート状に形成したがこれに限らない。スカート状に換えて、上部に、蒸気用開口部を備えると共に、浅皿状の沸騰筒としてもよい。あるいは、階段状、エクスポネンシャルカーブ状に形成してもよい。要は、内容量を少なくして沸騰を容易にできる形状であればよい。
そして、このようにしても、少ない水を沸騰させることになるので、より早く温度を上昇させることができ、蒸し器の運転の起動を早くすることができる。その結果、運転停止後の販売開始までの時間の短縮化を図れるようになる。
【００４４】
また、前記実施形態では、沸騰筒５８を、金属に比べて熱伝導率が低くかつ耐熱性の樹脂製としたが、これに限らず、金属製の２重構造の沸騰筒としてもよい。
【産業上の利用可能性】
【００４５】
本発明は、例えばコンビニエンスストア等のレジ用カウンターに設置する蒸し器に利用できる。
【符号の説明】
【００４６】
１  蒸し器
１０  本体ケース
３２  内側ガラス
３３  外側ガラス
３８  防滴付ガラス
５０  照明装置
５５  蒸気発生手段
５６  外側貯水槽である外側タンク
５６Ａ  加熱面  
５７  保温水槽である内側タンク
５８  蒸気発生槽である沸騰筒
５９  蒸気拡散ガイド部材
６０  蒸気分散版
６１  水受け槽
６２  ヒータ
６３  貯水槽
６６  加熱部
７０  水位低下表示手段
７１  水位低下検知センサ
７１ａ，７１ｂ  金属製電極
７２Ａ  警報ブザー
７２Ｂ  警報ランプ
【図１】
2016198253.tif 000003
【図２】
2016198253.tif 000004
【図３】
2016198253.tif 000005
【図４】
2016198253.tif 000006
【図５】
2016198253.tif 000007
【図６】
2016198253.tif 000008
【図７】
2016198253.tif 000009
【図８】
2016198253.tif 000010
【図９】
2016198253.tif 000011
【図１０】
2016198253.tif 000012